(57)【要約】      （修正有）【課題】デザイン性に優れ、発光により視認性を向上することができる衣類，バック，帽子を提供する。【解決手段】可撓性を有する発光部材１は、線状の無機ＥＬ素子２と、この無機ＥＬ素子２を覆う光透過性の玉縁部３と、この玉縁部３と一体に設けられた帯状部４とを備える。前記帯状部４を生地の縫い合わせ箇所に挟み、それら帯状部４と被縫着物とを縫い合わせ、この縫い合わせ箇所に沿って玉縁部３を配置したから、通常着用においてもデザイン性に優れ、夜間などに無機ＥＬ素子２を発光することにより、視認性に優れた衣類たる上着が得られる。また、発光部材１は可撓性を有するから、着用感が変化することもない。【選択図】図１
0003148505.tif 000002
【実用新案登録請求の範囲】
【請求項１】
可撓性を有する発光部材において、線状の無機ＥＬ素子と、この無機ＥＬ素子を覆う光透過性の玉縁部と、この玉縁部と一体に設けられた帯状部とを備えることを特徴とする発光部材。
【請求項２】
請求項１記載の発光部材を備え、前記帯状部を被縫着物の縫い合わせ箇所に挟み、それら帯状体と被縫着物とを縫い合わせ、この縫い合わせ箇所に沿って前記玉縁部を配置したことを特徴とする衣類。
【請求項３】
請求項１記載の発光部材を備え、前記帯状部を被縫着物の縫い合わせ箇所に挟み、それら帯状体と被縫着物とを縫い合わせ、この縫い合わせ箇所に沿って前記玉縁部を配置したことを特徴とするバック。
【請求項４】
請求項１記載の発光部材を備え、前記帯状部を被縫着物の縫い合わせ箇所に挟み、それら帯状体と被縫着物とを縫い合わせ、この縫い合わせ箇所に沿って前記玉縁部を配置したことを特徴とする帽子。
【請求項５】
前記無機ＥＬ素子に操作手段を接続し、この操作手段は、電池を内蔵する携帯ケースと、この携帯ケースに設けられ前記無機ＥＬ素子を駆動する駆動手段と、前記携帯ケースに設けられ無機ＥＬ素子の点灯，消灯を操作するスイッチとを備え、前記携帯ケースを収納するポケットを裏面に設けたことを特徴とする請求項２記載の衣類。
【請求項６】
前記被縫着物は前記上着の表面の生地であり、前記上着は裏地を備え、前記携帯ケースには、前記ポケットの開口縁に係止する係止部を設け、前記携帯ケースと無機ＥＬ素子とを接続線により接続し、前記接続線の途中にコネクタを設けて前記接続線を無機ＥＬ素子側の基端側分割接続線と携帯ケース側の基端側分割接続線とに分割し、前記基端側分割接続線の先端を前記ポケット内の前記裏地に挿通して外側に引き出し、前記基端側分割接続線の基端側を前記表面の生地と裏地との間に配置したことを特徴とする請求項５記載の衣類。
【考案の詳細な説明】
【技術分野】
【０００１】
本考案は、発光部材に係り、特に、衣類，バックや帽子などに発光効果を付与することができる発光部材とこの発光部材を用いた衣類，バック，帽子に関する。
【背景技術】
【０００２】
従来、この種のものとして、身体に装着するチョッキ本体の前身頃を、反射標識帯より成る左前身頃と右前身頃とで構成した反射チョッキにおいて、左右前身頃の裏面に発光ダイオードが配設され、これら発光ダイオードを点滅させるように構成した反射チョッキが知られている（例えば特許文献１）。
【特許文献１】実用新案登録第３０６７８２３号公報
【考案の開示】
【考案が解決しようとする課題】
【０００３】
上記反射チョッキでは、発光ダイオードが点滅することにより夜間における視認性を向上することができる。
【０００４】
しかし、発光ダイオードを用いると、熱が発生して低温やけどを発生する虞があり、また、配設した発光ダイオードによりチョッキに凹凸ができ、着用感に劣る面がある。
【０００５】
さらに、前記反射チョッキは、幅広な反射標識帯を備えることにより、夜間の視認性には優れるが、夜間や緊急時などを除いた通常生活で着用するには、反射標識帯によりデザイン性が低下するという問題がある。
【０００６】
そこで、本考案は、縫着して備えることにより、無機ＥＬが発光して視認性を向上することができる発光部材を提供することを目的とし、また、デザイン性に優れ、発光により視認性を向上することができる衣類，バック，帽子を提供することを目的とする。
【課題を解決するための手段】
【０００７】
請求項１の考案は、可撓性を有する発光部材において、線状の無機ＥＬ素子と、この無機ＥＬ素子を覆う光透過性の玉縁部と、この玉縁部と一体に設けられた帯状部とを備えるものである。
【０００８】
また、請求項２の考案は、請求項１記載の発光部材を備え、前記帯状部を被縫着物の縫い合わせ箇所に挟み、それら帯状体と被縫着物とを縫い合わせ、この縫い合わせ箇所に沿って前記玉縁部を配置したものである。
【０００９】
また、請求項３の考案は、請求項１記載の発光部材を備え、前記帯状部を被縫着物の縫い合わせ箇所に挟み、それら帯状体と被縫着物とを縫い合わせ、この縫い合わせ箇所に沿って前記玉縁部を配置したものである。
【００１０】
また、請求項４の考案は、請求項１記載の発光部材を備え、前記帯状部を被縫着物の縫い合わせ箇所に挟み、それら帯状体と被縫着物とを縫い合わせ、この縫い合わせ箇所に沿って前記玉縁部を配置したものである。
【００１１】
また、請求項５の考案は、前記無機ＥＬ素子に操作手段を接続し、この操作手段は、電池を内蔵する携帯ケースと、この携帯ケースに設けられ前記無機ＥＬ素子を駆動する駆動手段と、前記携帯ケースに設けられ無機ＥＬ素子の点灯，消灯を操作するスイッチとを備え、前記携帯ケースを収納するポケットを裏面に設けたものである。
【００１２】
また、請求項６の考案は、前記被縫着物は前記上着の表面の生地であり、前記上着は裏地を備え、前記携帯ケースには、前記ポケットの開口縁に係止する係止部を設け、前記携帯ケースと無機ＥＬ素子とを接続線により接続し、前記接続線の途中にコネクタを設けて前記接続線を無機ＥＬ素子側の基端側分割接続線と携帯ケース側の基端側分割接続線とに分割し、前記基端側分割接続線の先端を前記ポケット内の前記裏地に挿通して外側に引き出し、前記基端側分割接続線の基端側を前記表面の生地と裏地との間に配置したものである。
【考案の効果】
【００１３】
請求項１の構成によれば、帯状部を被縫着物に縫着して縫着箇所に玉縁部を設けることにより、玉縁部内の無機ＥＬ素子が発光し、被縫着物の視認性が向上し、また、玉縁部となるから、被縫着物のデザイン性も向上する。
【００１４】
また、請求項２の構成によれば、通常着用においてもデザイン性に優れ、夜間などに無機ＥＬ素子を発光することにより、視認性に優れた衣類が得られる。また、発光部材は可撓性を有するから、着用感が変化することもない。
【００１５】
また、請求項３の構成によれば、通常着用においてもデザイン性に優れ、夜間などに無機ＥＬ素子を発光することにより、視認性に優れたバックが得られる。
【００１６】
また、請求項４の構成によれば、通常着用においてもデザイン性に優れ、夜間などに無機ＥＬ素子を発光することにより、視認性に優れた帽子が得られる。
【００１７】
また、請求項５の構成によれば、ポケットに携帯ケースを収納して移動することができ、スイッチにより無機ＥＬ素子の点灯，消灯操作を行うことができる。
【００１８】
また、請求項６の構成によれば、係止部をポケットの開口縁に係止することにより、携帯ケースを安定して収納することができ、また、ポケット内の裏地に接続線を挿通することにより、接続線が目立つことがない。また、コネクタ箇所で操作手段と先端側分割接続線を取り外すことができるから、取り外した状態で上着２１を洗濯や収納することができ、また、製造時に取り外しておけるから、発光部材の縫着作業を容易に行うことができる。
【考案を実施するための最良の形態】
【００１９】
本考案における好適な実施の形態について、添付図面を参照しながら詳細に説明する。尚、以下に説明する実施の形態は、特許請求の範囲に記載された本考案の内容を限定するものではない。また、以下に説明される構成の全てが、本考案の必須要件であるとは限らない。各実施例では、従来とは異なる新規な発光部材を採用することにより、従来にない発光部材を備えた衣類，バック，帽子が得られ、その発光部材について記述する。
【実施例１】
【００２０】
以下、本発明の実施例１について、図１〜図５を参照して説明する。図１に示すように、可撓性を有する発光部材１は、線状の無機ＥＬ素子２と、この無機ＥＬ素子２を覆う光透過性の玉縁部３と、この玉縁部３と一体に設けられた帯状部４とを備える。
【００２１】
前記無機ＥＬ素子２は、無機発光層に電圧を印加することにより発光するものであり、断面略円形に形成されている。前記玉縁部３及び帯状部４は、合成樹脂などからなり、円筒形をなす玉縁部３により前記無機ＥＬ素子２を水密に被覆している。
【００２２】
前記無機ＥＬ素子２には、操作手段１１が接続され、この操作手段１１は、携帯ケース１２内に無機ＥＬ素子２の駆動手段１３を内蔵すると共に、前記携帯ケース１２に操作部たるスイッチ１４を設ける。また、前記携帯ケース１２内には、電源たる電池換可能に内蔵される。
【００２３】
そして、前記スイッチ１４により、無機ＥＬ素子２の点灯、点滅、消灯の操作が可能になっている。
【００２４】
図２〜図５は前記発光部材１を衣類に適用した例を示し、衣類である上着２１を示し、図２に示すように、被縫着物である生地２２，２２の縫い合わせ箇所である縁部２２Ｆ，２２Ｆを裏面側に折り返し、それら縁部２２Ｆ，２２Ｆの表面間に、前記帯状部４を挟み、それら縁部２２Ｆ，帯状部４，縁部２２Ｆを縫着部２３により縫着し、前記玉縁部３を縫い合わせ箇所の外側に配置する。
【００２５】
そして、玉縁部３を上着２１の前後に配置する。また、表面の生地２２と裏地２４との間に前記帯状部４を配置して隠し、発光部材１の端部と前記操作手段１１とを接続線２５により電気的に接続する。前記接続線２５は、その途中には、コネクタ２６が設けられ、発光部材１に接続した基端側分割接続線２５Ａと、操作手段１１に接続した先端側分割接続線２５Ｂとに分割されている。また、前記基端側分割接続線２５Ａを前記裏地２４に挿通し、コネクタ２６により分割接続線２５Ａ，２５Ｂを連結する。
【００２６】
さらに、前記上着２１には、その裏面に前記操作手段１１を収納するポケット２７を設け、このポケット２７内に操作手段１１が出し入れ可能に収納される。尚、基端側分割接続線２５Ａは、ポケット２７の内側の前記裏地２４部分に挿通されている。また、前記収納ケース１２には、係止部たるフック部１２Ｆが設けられ、このフック部１２Ｆが前記ポケット２７の開口縁２７Ｋに係止する。
【００２７】
このように本実施例では、請求項１に対応して、可撓性を有する発光部材１において、線状の無機ＥＬ素子２と、この無機ＥＬ素子２を覆う光透過性の玉縁部３と、この玉縁部３と一体に設けられた帯状部４とを備えるから、帯状部４を被縫着物たる生地２２，２２に縫着して縫着箇所に玉縁部３を設けることにより、玉縁部３内の無機ＥＬ素子２が発光し、生地２２の視認性が向上し、また、玉縁部３となるから、生地のデザイン性も向上する。
【００２８】
また、このように本実施例では、請求項２に対応して、請求項１記載の発光部材１を備え、帯状部４を被縫着物たる生地２２，２２の縫い合わせ箇所に挟み、それら帯状体４と被縫着物２２，２２とを縫い合わせ、この縫い合わせ箇所に沿って玉縁部３を配置したから、通常着用においてもデザイン性に優れ、夜間などに無機ＥＬ素子２を発光することにより、視認性に優れた衣類たる上着２１が得られる。また、発光部材１は可撓性を有するから、着用感が変化することもない。
【００２９】
また、このように本実施例では、請求項５に対応して、無機ＥＬ素子２に操作手段１１を接続し、この操作手段１１は、電池１４を内蔵する携帯ケース１２と、この携帯ケース１２に設けられ無機ＥＬ素子２を駆動する駆動手段１３と、携帯ケース１２に設けられ無機ＥＬ素子２の点灯，消灯を操作するスイッチ１４とを備え、携帯ケース１２を収納するポケット２７を裏面に設けたから、ポケット２７に携帯ケース２１を収納して移動することができ、スイッチ１４により無機ＥＬ素子２の点灯，消灯操作を行うことができる。
【００３０】
また、このように本実施例では、請求項６に対応して、被縫着物は上着２１の表面の生地２２であり、上着２１は裏地２４を備え、携帯ケース１２には、ポケット２７の開口縁に係止する係止部たるフック部１２Ｆを設け、携帯ケース１２と無機ＥＬ素子２とを接続線２５により接続し、接続線２５の途中にコネクタ２６を設けて接続線２５を無機ＥＬ素子２側の基端側分割接続線２５Ａと携帯ケース１２側の基端側分割接続線２５Ｂとに分割し、基端側分割接続線２５Ａの先端をポケット２７内の裏地２４に挿通して外側に引き出し、基端側分割接続線２５Ａの基端側を表面の生地２２と裏地２４との間に配置したから、フック部１２Ｆをポケット２７の開口縁に係止することにより、携帯ケース１２を安定して収納することができ、また、ポケット２７内の裏地２４に接続線２５を挿通することにより、接続線２５が目立つことがない。また、コネクタ２５箇所で操作手段１１と先端側分割接続線２５Ｂを取り外すことができるから、取り外した状態で上着２１を洗濯や収納することができ、また、製造時に取り外しておけるから、発光部材１の縫着作業を容易に行うことができる。
【実施例２】
【００３１】
図６〜図８は、本発明の実施例２を示し、上記実施例１と同一部分に同一符号を付し、その詳細な説明を省略して詳述すると、同図は、バック３１に発光部材１を設けた例を示し、上記実施例１と同様に、バック３１の生地２２，２２の縫い合わせ箇所である縁部２２Ｆ，２２Ｆを裏面側に折り返し、それら縁部２２Ｆ，２２Ｆの表面間に、前記帯状部４を挟み、それら縁部２２Ｆ，帯状部４，縁部２２Ｆを縫着部２３により縫着し、前記玉縁部３を縫い合わせ箇所の外側に配置する。図７に示すように、バック３１の左右の肩紐３２，３２の外側縁にも、玉縁部３が設けられている。
【００３２】
また、図８に示すように、一方の縁部２２Ｆを裏面側に折り返し、他方の縁部２２Ｆの裏面を帯状部４に重ねて、一方の縁部２２Ｆと帯状部４と他方の縁部２２Ｆとを縫着してもよい。
【００３３】
このように本実施例では、請求項３に対応して、請求項１記載の発光部材１を備え、帯状部４を被縫着物たる生地２２，２２の縫い合わせ箇所に挟み、それら帯状体４と生地２２，２２とを縫い合わせ、この縫い合わせ箇所に沿って玉縁部３を配置したから、通常着用においてもデザイン性に優れ、夜間などに無機ＥＬ素子２を発光することにより、視認性に優れたバック２１が得られる。
【実施例３】
【００３４】
図９は、本発明の実施例３を示し、上記実施例１と同一部分に同一符号を付し、その詳細な説明を省略して詳述すると、同図は、帽子４１に発光部材１を設けた例を示し、上記実施例１と同様にして、帽子４１のつば４２の縁に玉縁部３を設けている。
【００３５】
また、接続線２５にはコネクタ２６を設けておらず、操作手段１１は小型の携帯ケース１２を用いている。また、スイッチ１４は押し釦式のものを用いている。
【００３６】
このように本実施例では、請求項４に対応して、請求項１記載の発光部材１を備えるから、通常着用においてもデザイン性に優れ、夜間などに無機ＥＬ素子２を発光することにより、視認性に優れた帽子４１が得られる。
【００３７】
なお、本考案は、前記実施例に限定されるものではなく、種々の変形実施が可能である。例えば、発光部材の取付箇所は実施例に限定することなく、上着の袖などに設けてもよい。また、帽子の接続線にコネクタを設けてもよい。
【図面の簡単な説明】
【００３８】
【図１】本考案の実施例１を示す一部を断面にした発光部材の斜視図である。
【図２】同上、発光部材の取り付け状態を示す断面図である。
【図３】同上、衣類の正面図である。
【図４】同上、衣類の裏面の要部と操作手段の斜視図である。
【図５】同上、操作手段をポケットに収納した状態の断面図である。
【図６】本考案の実施例２を示すバックの斜視図である。
【図７】同上、肩紐側から見たバックの斜視図である。
【図８】同上、発光部材の取り付け状態を示す断面図である。
【図９】本考案の実施例３を示す帽子の斜視図である。
【符号の説明】
【００３９】
１  発光部材
２  無機ＥＬ素子
３  玉縁部
４  帯状部
１１  操作手段
１２  携帯ケース
１２Ｆ  フック部（係止部）
１３  駆動手段
１４  スイッチ（操作部）
１５  電池
２１  上着（衣類）
２２  生地（被縫着部）
２２Ｆ  縁部
２３  縫着部
２４  裏地
２５  接続線
２５Ａ，２５Ｂ  分割接続線
２６  コネクタ
２７  ポケット
３１  バック
４１  帽子
【図１】
0003148505.tif 000003
【図２】
0003148505.tif 000004
【図３】
0003148505.tif 000005
【図４】
0003148505.tif 000006
【図５】
0003148505.tif 000007
【図６】
0003148505.tif 000008
【図７】
0003148505.tif 000009
【図８】
0003148505.tif 000010
【図９】
0003148505.tif 000011